(57)【要約】      （修正有）【課題】使用者の好みに合わせやすく、安全性の高い耳かき具を提供する。【解決手段】耳掻き具１の掻き部２を板状とし、掻き部に山の幅が１ｍｍ以上の山状の凸体Ａを複数設けた。また、凸体を球状や半球状とし、竹や木材の素材に含浸剤を含浸した。【選択図】図２
0003179911.tif 000002
【実用新案登録請求の範囲】
【請求項１】
耳穴を掃除する耳かき具において、
前記耳かき具は、掻き部と柄部で構成された耳掻き部を備え、
前記耳掻き部の掻き部を板状とし、掻き部に山の幅が１ｍｍ以上の山状の凸体を複数設けた
ことを特徴とする耳かき具。
【請求項２】
請求項１に記載の耳かき具であって
前記凸体は、略半球状、又は略球状とした
ことを特徴とする耳かき具。
【請求項３】
請求項１から２のいずれかに記載の耳かき具であって
前記耳掻き部の素材に、竹や木材を使用し含浸剤を含浸した
ことを特徴とする耳かき具。
【考案の詳細な説明】
【技術分野】
【０００１】
本考案は、掻き部が板状の耳かき具に関する。
【背景技術】
【０００２】
現在、耳の外耳を掃除するものとして、綿棒や耳かき具が使用されている。
【０００３】
耳かき具は、耳垢を取る用具として、細い棒状の柄の先端に匙状の部分を備えた竹製や金属製の耳かき具が使用されて来たが、近年、掻きすぎによる外耳道の傷つけ防止対策を考慮などの理由からシリコンゴムを利用したものや、ワイヤをループ状に重ねたもの、ワイヤをコイル状にした耳かき具などがある。しかし、そのような中でも竹製の耳かき具は現在も需要が根強い。竹製の耳かき具は、竹の抗菌性、殺菌性、脱臭性などの作用や、特に柄に竹の弾力を利用（外圧を和らげるダンパー機能）した利点がある。しかし、竹の筋や木目などにより折れやすく、ひび割れなどを起こしやすかった。また、柄が持ちにくく、その上、デザイン性にも欠けていた。また、先端の匙部は単調で、片側に沿った形状だけであった。さらに、匙部の先端が維管束鞘の０．３ｍｍ前後の凸凹が有り、皮膚を痛めることが発生した。
特許文献１に、ストレート軸の両端近傍にそれぞれ複数本の環状溝を所定間隔毎に配設したものが開示されている。
特許文献２には、湾曲形、楕円形などのスプーン状にし、且つその背面に同形の耳掻き部分を取り付けたものが開示されている。しかしながら、掻き部の先端は平坦、又は尖っており、掻き部先端や周囲がイボ状の物や、掻き部が直線状の板状のものが無かった。
年齢が進むと共に、外耳の皮膚も厚みを増し、感覚が鈍くなる傾向にある。
また、人により耳垢の違いや、耳掻き方法の好み、耳掻き具に対する嗜好性があり、もっと耳掻きを楽しめる耳かき具や、無理のない適度な刺激を与える掻き部形状の耳掻きが有っても良いと考えられる。
【先行技術文献】
【特許文献】
【０００４】
【特許文献１】特許公開２００６−１７５１９５号
【特許文献２】特許公開２００５−３２３９８７号
【考案の概要】
【考案が解決しようとする課題】
【０００５】
無理のない適度な刺激が得られ、もっと耳掻きを楽しめ、さらに、竹材、または、木材の風合を生かし、ひび割れなどを防止した安全性の高い耳かき具を提供しようとするものである。
【課題を解決するための手段】
【０００６】
上記課題を解決するために、本考案に係る耳かき具の一例は、掻き部に山幅が１ｍｍ以上の凸体を複数設けた、また、凸体を、略半球、又は略球状とすると共に、竹や木材の素材を使用し含浸材を含浸した。
【考案の効果】
【０００７】
本考案によれば、従来からの耳かき具の特性を生かしながら、使う楽しみと共に、安全で、デザイン性に優れた耳かき具を提供することが可能となる、また、高齢化によるお年寄りの感性の向上に寄与できる可能性を予見する。
【図面の簡単な説明】
【０００８】
【図１】本考案実施例の平面図と側面図である。
【図２】本考案実施例の変形例の平面図と側面図である。
【図３】本考案他実施例の平面図と側面図である。
【図４】本考案実施例の掻き部の各変形例を上面からみた平面図である。
【図５】掻き部他実施例の各変形例の斜視図である。
【考案を実施するための形態】
【０００９】
本考案の実施の形態について、以下、図に基づいて説明する。
【００１０】
図１は、本考案の実施例の平面図と側面図を示し、例えば、竹材を素材にした掻き部２と柄部３からなる耳かき具１を示し、掻き部２は板状とし、先端が反ったものを示す。
また、柄部３は弾性を持たせたもので、例えば２．５ｍｍ径の棒状としたものである。これにより耳掻き時の外耳を掻く際の外力を吸収するダンパーの役割をする。柄部３断面は四角や長方形、多角形でも良い。掻き部２の先端付近には略半円の山状の凸体Ａ（突起部）を設けたものである。図４には、前記凸体の例を示し、図１の矢印方向から見た掻き部２を示す。
【００１１】
図４（ａ）は、凸体が掻き部２の中央と両側に山の幅Ｄが１ｍｍ以上とした（例えば１．５ｍｍ）凸体Ａを設けた例を示す。
この凸体Ａにより、耳掻き操作をすることにより、例えば外耳の壁面にへばりついた耳垢を、この凸体Ａと、左右の凸体Ａの山が短い線分（場合によっては点）で壁面に当たり耳垢をなぞる事により剥がす効果が高まる。また、この凸体Ａが外耳面を擦る、なでる事により血行を促進するなどの効果や、耳かき時の感触、刺激を高める。
また、従来からの竹などの加工時などに発生する維管束鞘による凸凹は０．３ｍｍ前後となり、毛穴や汗腺、皮膚の皺に掛かりやすく、肌を痛めやすい。一方、本考案の凸体は山の幅Ｄを１ｍｍ以上とする事により、毛穴や、汗腺、皺面に掛かりにくく、これらの傷害発生を防止できるものである。
【００１２】
また、ここで、耳かき具１は竹材を素材としたが、木材や、プラスチック樹脂（例えばポリプロピレン）などや金属（例えばチタン）などにより形成しても良い。
図４（ｂ）は、先端中央に凸体Ａの谷部になるように凸体Ａを配置したものを示す。図４（ｃ）は、凸体Ａ１を球状としたものを示し、例えばプラスチック樹脂で成形した後に、パーティングラインなどのバリをバレル研磨する事により成形する。このように、球状にする事によりより一層外耳の皮膚を傷付けにくくする事が出来ると共に、肌面をなぞる部分が球状となるため刺激が変化する。
以下、上記説明と同じ部分は省略することがある。
【００１３】
図２は、本考案実施例の変形例の平面図と側面図を示し、掻き部２の両側に凸体Ａを設けたものを示す。掻き部２の両側は、外耳の壁面を掻き部２の側面で掻く際に、凸体Ａが、前記と同じ様に壁面を掻き出す効果を発揮するものである。ここでは、両側に凸体Ａを設けたが、片側だけでも良い。また、両側面だけでなく、図１の様に先端部にも設けても良い。さらには、凸体Ａを球状としても良い。ここでの柄部３ａは、被覆部７を設け、指で持ちやすくしたもので、エラストマー樹脂などによりインサート成形した。または、被覆材を貼り付けて形成したものを示す。
【００１４】
図３は、他の実施例の平面図と側面図を示し、掻き部２を板状（平面）とたもので、側面の片側に凸体Ａを設けたものを示す。掻き部２の両サイドで壁面を掻きだす事を主とした耳かき具１ｂである。
図５には、掻き部を板状とし、両サイドに凸部を設けた変形例を示す。（ａ）は、両サイドに土手状の凸体Ａ２を設けたものを示す。（Ｂ）は、両サイド付近に球状の凸体Ａ１を設けた例を示す。（ｃ）は、掻き部２の表面に半球状の凸体Ａ３を設けたものを示す。断面で示すように、掻き部２は膨らみを持った板状としている。図５で示したそれぞれは、前記の様にプラスチック樹脂により成形しても良いが、竹や木製とし、表面に凸体をエラストマー樹脂や塗料などを貼り付け、焼き付け、塗布などにより形成しても良い。
【００１５】
さらに、耳掻き部の素材に対する含浸について説明する。竹や木材に対し含浸を行うことにより、含浸剤が柔細胞や維管束鞘内の導管、師管の空洞を含浸剤で埋めることにより、掻き部の先端付近をなめらかに加工仕上げることができる。
例えば、竹材にエポキシ樹脂剤を真空含浸処理することにより、竹材の柔細胞や、維管束鞘の空洞である導管や師管部にエポキシ樹脂が含浸され、ほぼ均一な強度の素材とすることができる。これにより、特に掻き部先端付近の硬度の違いから、切削加工時に発生する加工深度による凸凹や、使用時に発生する凸凹の発生を防止することができるものである。含浸方法は、真空含浸が最良であるが減圧含浸、加圧含浸でも良い。
含浸を行っても維管束鞘は、模様として残り、従来の竹製の風合いが反映される。また、含浸する事により、乾燥の浅い、または、乾燥年月の経っていない竹材でも、柔細胞部の色合いが濃くなり例えば、すすだけの風合いを出すことや、含浸剤に色（例えば鮮やかなピンクや青、緑色）を加えることにより、今までにない新たなデザイン性を向上する事が出来る。
【００１６】
また、竹材の乾燥を長期間行わずとも、含浸することにより強度を上げる事が出来るため、生産性が向上する。乾燥後の維管束鍔はセルロース繊維のため含浸剤の浸透は少ない。
また、前記で記載したの含浸処理は、含浸を先に行い形成しても、竹材を曲げ加工した後に含浸を行ってもよく、仕上げ前に含浸を行うことにより浸透性向上や、含浸材や部材のムダ減らすことを可能になる。
上記記載では竹製を前提にしているが、木製においても導管や師管が同じ様に存在しするので同じ事とし説明を割愛する。また、一般に木製は黒檀の様に硬度の高い素材を除き折れやすい為、竹と同じ様に繊維に沿って形成するのが望ましい。また、その際に全体を含浸する事により硬度を増すことが出来るので有効である。
【００１７】
含浸剤として、エポキシ、アクリル、ポリフェノール系樹脂などの硬質系が適切で、他に、ポリエチレン、ポリウレタン、シリコーン系樹脂や、複合剤を利用しても良い。
また、セラミックスゾル、またはセラミックスゾルと金属塩水溶液の混合液を、減圧下で木材の空隙中に強制注入して硬化させる方法や、ガラス成分を含浸させる方法や、トロポロン類を含浸させる方法がある。これらは、それぞれの利点と欠点に応じて利用しても良い。また、含浸を行う事により、水分の吸収性を押さえる事が出来るために衛生的な上に、水洗いなどや、アルコール消毒が容易となり衛生的となる。また、トロポロン類などにより殺菌性を向上させる事も出来る。さらに、ささくれや、ひび割れ、変形を押さえる事が出来る。
また、竹材により形成された耳かき具の先端に、同様の含浸材などを塗布しても良い。
【００１８】
以上、本考案の実施形態例を説明した。本考案は、これらに制限されることなく、その技術的思想の範囲内でさらに様々な変形が可能であり、それらは全て本考案に含まれる。
【符号の説明】
【００１９】
１・１ａ・１ｂ：耳かき具、２：掻き部、３・３ａ：柄部、７：被覆部、Ａ・Ａ１・Ａ２・Ａ３：凸体、Ｄ・Ｄ１：山の幅
【図１】
0003179911.tif 000003
【図２】
0003179911.tif 000004
【図３】
0003179911.tif 000005
【図４】
0003179911.tif 000006
【図５】
0003179911.tif 000007